(57)【要約】【課題】拭き残しがなく効率よく確実に清掃することにより、常に清浄にできる照明器具を提供する。【解決手段】照明器具１０は、天井面への取付部１４と、取付部１４が中央に配置され、天井面との間に隙間を介在させるように位置する天板部１３を有する器具本体１１と、器具本体１１に取り付けられる光源部２０とを備え、天板部１３の表面に配設されて、取付部１４を中心として回転自在な清掃手段１７を設ける。【選択図】図１
2013004504.tif 000002
【特許請求の範囲】
【請求項１】
天井面への取付部と、
前記取付部が中央に配置され、前記天井面との間に隙間を介在させるように位置する天板部を有する器具本体と、
前記器具本体に取り付けられる光源部とを備え、
前記天板部の表面に配設されて、前記取付部を中心として回転自在な清掃手段を設けた照明器具。
【請求項２】
請求項１に記載の照明器具において、
前記清掃手段は、回転基台と、前記回転基台に放射状に設置される複数の掻取部材とを有する照明器具。
【請求項３】
請求項２に記載の照明器具において、
前記器具本体に前記光源部を覆うように回転させて装着されるグローブを設け、
前記掻取部材が、前記グローブの回転に伴って回転する照明器具。
【請求項４】
請求項２または請求項３に記載の照明器具において、
前記回転基台が、前記グローブの回転に伴って回転力を蓄積する弾性部材を有し、前記グローブの回転を停めたときに、前記弾性部材に蓄積された回転力が開放されて逆方向に回転する照明器具。
【請求項５】
請求項１ないし請求項４のうちのいずれか１項に記載の照明器具において、
前記光源部が、ＬＥＤであって、前記ＬＥＤで発生した熱を前記天板部まで移動させる照明器具。
【発明の詳細な説明】
【技術分野】
【０００１】
本発明は、天井面に取り付けられるシーリングライト等に適用される照明器具に関する。
【背景技術】
【０００２】
従来より、拡大鏡の一端から他端にかけて摺接する清掃手段を備え、清掃手段の操作に連動して電源がオン・オフされる電源スイッチを備える照明器具が知られている（例えば、特許文献１参照）。
特許文献１は、反射板からレバーを引き出すことにより、清掃手段が拡大鏡の表面および裏面に摺接して拡大鏡を清掃する。
特許文献１は、レバーを元の位置に戻すことにより、電源スイッチがオン状態となって照明が駆動される。
【先行技術文献】
【特許文献】
【０００３】
【特許文献１】実開昭６２−８４７４７号公報（図１、実用新案請求の範囲）
【発明の概要】
【発明が解決しようとする課題】
【０００４】
特許文献１は、布等を用いて拭わなくても拡大鏡を清掃できる。
しかし、特許文献１は、以下の六つの課題を有する。
課題の一つ目は、レバーを手動によって作動させなければならないことである。
従って、レバーの動きのためのスペースが必要になる。
【０００５】
課題の二つ目は、清掃手段が電源スイッチと連動するため、清掃手段で清掃する度に照明のオン・オフが行われることである。
従って、清掃する必要がない時にも清掃が行われてしまい、照明のみを速やかに駆動できない。
【０００６】
課題の三つ目は、照明を駆動させたくない場合に、レバーを一定距離引き出した位置までの範囲で清掃手段を動かすことはできるが、引き出した部分に対応する部分に清掃手段が届かないことである。
従って、このような場合に、拡大鏡の全面を清掃ができない。
【０００７】
課題の四つ目は、清掃手段が往復移動するために、清掃手段の拭き残しが生ずることである。
従って、清掃手段の拭き残し部分に埃やごみが溜まる虞がある。
【０００８】
課題の五つ目は、デスクスタンドの形態であるために、天井面に取付けた場合、レバーを移動させ難いことである。
従って、取付場所等に制限を生ずる。
【０００９】
課題の六つ目は、天井面に取付けた場合に、清掃手段が全域に渡って配置されないことである。
従って、清掃手段の拭き残しが生じて埃やごみが溜まる虞がある。
【００１０】
本発明は、前述した課題を解決するためになされたものであり、その目的は、拭き残しがなく効率よく確実に清掃することにより、常に清浄にできる照明器具を提供することにある。
【課題を解決するための手段】
【００１１】
本発明に係る照明器具は、天井面への取付部と、前記取付部が中央に配置され、前記天井面との間に隙間を介在させるように位置する天板部を有する器具本体と、前記器具本体に取り付けられる光源部とを備え、前記天板部の表面に配設されて、前記取付部を中心として回転自在な清掃手段を設ける。
【００１２】
本発明に係る照明器具は、前記清掃手段は、回転基台と、前記回転基台に放射状に設置される複数の掻取部材とを有する。
【００１３】
本発明に係る照明器具は、前記器具本体に前記光源部を覆うように回転させて装着されるグローブを設け、前記掻取部材が、前記グローブの回転に伴って回転する。
【００１４】
本発明に係る照明器具は、前記回転基台が、前記グローブの回転に伴って回転力を蓄積する弾性部材を有し、前記グローブの回転を停めたときに、前記弾性部材に蓄積された回転力が開放されて逆方向に回転する。
【００１５】
本発明に係る照明器具は、光源部が、ＬＥＤであって、前記ＬＥＤで発生した熱を前記天板部まで移動させる。
【発明の効果】
【００１６】
本発明に係る照明器具によれば、拭き残しがなく効率よく確実に清掃することにより、常に清浄にできるという効果を奏する。
【図面の簡単な説明】
【００１７】
【図１】本発明に係る第１実施形態の照明器具の斜め上方から視た分解斜視図
【図２】本発明に係る第１実施形態の照明器具の斜め上方から視た外観斜視図
【図３】本発明に係る第２実施形態の照明器具の斜め上方から視た外観斜視図
【図４】本発明に係る第３実施形態の照明器具の斜め上方から視た分解斜視図
【図５】本発明に係る第４実施形態の照明器具の平面図
【図６】本発明に係る第４実施形態の照明器具の清掃手段の回転時の平面図
【図７】本発明に係る第５実施形態の照明器具の平面図
【図８】本発明に係る第６実施形態の照明器具の斜め上方から視た分解斜視図
【発明を実施するための形態】
【００１８】
以下、本発明に係る複数の実施形態の照明器具について図面を参照して説明する。
（第１実施形態）
図１に示すように、本発明に係る第１実施形態の照明器具１０は、円形に形成される器具本体１１と、器具本体１１の下面に取り付けられるＬＥＤユニット１２とを備えて、不図示の天井面に設置されるシーリングライトに適用される。
照明器具１０は、器具本体１１の天面に天板部１３を有し、天板部１３上に、天井面に設置されている不図示の引掛シーリングから電源を供給されるアダプタ１４を備える。
照明器具１０は、器具本体１１の天板部１３上に、アダプタ１４が取り付けられる基台カバー１５と、基台カバー１５に覆われて配置されて天板部１３上で回転自在な回転基台１６とを備える。
照明器具１０は、回転基台１６に取付けられる清掃手段１７を備え、清掃手段１７に掻取部材１８を備える。
【００１９】
ＬＥＤユニット１２は、器具本体１１に相似する円板形に形成されるＬＥＤ基板１９を有し、このＬＥＤ基板１９の下面に光源部である複数のＬＥＤ２０が配列されて封止される。
ＬＥＤ基板１９は、不図示のプリント回路を有し、このプリント回路が同じく不図示の電源ユニットに電気的に接続される。
清掃手段１７は、回転基台１６から天板部１３の外縁までの長さを有するアーム２１を備える。
清掃手段１７は、アーム２１の基端部が回転基台１６に着脱自在に取付けられており、アーム２１の下部に掻取部材１８が取り付けられる。
アーム２１は、その先端部に、器具本体１１の外縁から下方に向けて延出されて、ユーザーや清掃作業員が手で握ることができる握持部２２を備える。
アーム２１は、例えば樹脂製等であり、掻取部材１８は、ブラシやゴム製等である。
【００２０】
次に、照明器具１０における清掃手段１７の動作について説明する。
図２に示すように、照明器具１０は、アダプタ１４が天井面の引掛シーリングに機械的および電気的に接続されることにより、器具本体１１の天板部１３が天井面からわずかに離れて配置される。
リモコン送信機や手動スイッチ等から照明器具１０にオン信号が与えられることにより、電源ユニットからＬＥＤ基板１９のプリント回路を通じてＬＥＤ２０に給電されてＬＥＤ２０が発光される。
【００２１】
ＬＥＤ２０が発光されることにより、ＬＥＤ２０から出射された光が、器具本体１１の下面において反射されて床面に向けて照射される。
このとき、ＬＥＤ２０の発光に伴って生じた熱は、ＬＥＤ基板１９に熱的に接続された器具本体１１から清掃手段１７を通じて放熱される。
従って、ＬＥＤ２０の発光に伴う熱を効率よく放熱できる。
【００２２】
清掃を行う場合、ユーザーや清掃作業員がアーム２１の握持部２２を握って、時計回転方向または半時計回転方向に握持部２２を回転させる。
このとき、アーム２１は、回転自在な回転基台１６に取り付けられているために、回転方向に規制がない。
アーム２１が１回転されることにより、掻取部材１８が器具本体１１の天板部１３上に付着している塵埃等を拭う。
【００２３】
掻取部材１８が器具本体１１の天板部１３上に付着している塵埃等を拭うことにより、天井面を照射する機能を有する場合に、天井面側の照度の低下を防止できる。
このとき、清掃手段１７は、アーム２１の回転運動を利用しているために、従来のものと比べて、天板部１３の全周にわたって払拭を行うことにより、拭き残しを生じない。
【００２４】
清掃手段１７は、アーム２１が回転基台１６に着脱自在に取付けられているために、掻取部材１８が汚れた際の交換が簡単にできる。
この場合、掻取部材１８は、使い捨ての布製素材が好ましい。
清掃手段１７は、アーム２１が回転基台１６に着脱自在に取付けられているために、掻取部材１８のみを洗うことができるので、衛生的である。
あるいは、掻取部材１８を水等で濡らしてから、天板部１３を清掃することにより、より清掃効果を高めることができる。
【００２５】
以上、説明した本発明に係る第１実施形態の照明器具１０によれば、天板部１３の上面に手を回込ませることなく、天板部１３の清掃が簡単にできる。
また、照明器具１０によれば、清掃手段１７を取外自在にすることにより、清掃手段１７自身の汚れの清掃をユーザーや清掃作業員が適宜できる。
【００２６】
そして、照明器具１０によれば、必要に応じて清掃手段１７を器具本体１１に取付けて天板部１３の掃除を行えるために、定常時は、清掃手段１７を取り外しておくことにより、外観上の違和感がない。
従って、照明器具１０によれば、拭き残しがなく効率よく確実に清掃することにより、常に清浄にできる。
【００２７】
また、照明器具１０によれば、ＬＥＤ２０の発光に伴って生じた熱が、ＬＥＤ基板１９に熱的に接続された器具本体１１から清掃手段１７を通じて放熱される。
従って、照明器具１０によれば、ＬＥＤ２０の発光に伴う熱を効率よく放熱できる。
【００２８】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２９】
図３に示すように、本発明に係る第２実施形態の照明器具３０は、清掃手段３１が、３個の、掻取部材３２を有するアーム３３と、掻取部材３４を有するアーム３５と、掻取部材３６を有するアーム３７とを備える。
掻取部材３３と、掻取部材３５と、掻取部材３７とは、放射状に配置される。
【００３０】
このとき、掻取部材３３と、掻取部材３５と、掻取部材３７との数をＮ個とした場合、３６０度／Ｎ（回転）だけの回転により、天板部１３の全域を清掃できる。
そのため、清掃手段３１は、清掃のための回転角度を少なくでき、少ない回転角度で天板部１３の全面を清掃できる。
また、掻取部材３３と、掻取部材３５と、掻取部材３７との間に埃やごみが分散されるため、掻取部材３３と、掻取部材３５と、掻取部材３７との劣化が少なくなり、メンテナンスの間隔を長くできる。
【００３１】
照明器具３０によれば、複数の、掻取部材３３と、掻取部材３５と、掻取部材３７とにより、天板部１３上の埃やごみや虫の死骸等を効率良く清掃できる。
そして、照明器具３０によれば、複数の、掻取部材３３と、掻取部材３５と、掻取部材３７とを有するために、回転角度を少なくできる。
【００３２】
そのため、照明器具３０によれば、掻取部材３３と、掻取部材３５と、掻取部材３７との数をＮ個とした場合、３６０度／Ｎ（回転）だけの回転により、天板部１３の全域を清掃できる。
さらに、照明器具３０によれば、掻取部材３３と、掻取部材３５と、掻取部材３７とが放射状に配置されるために、複数の位置から清掃手段３１を駆動できる。
【００３３】
（第３実施形態）
次に、本発明に係る第３実施形態の照明器具について説明する。
図４に示すように、本発明に係る第３実施形態の照明器具４０は、清掃手段４１が、掻取部材４２を有するアーム４３と、掻取部材４４を有するアーム４５と、掻取部材４６を有するアーム４７とを備える。
清掃手段４１は、アーム４３の先端部に連結部４８を備え、アーム４５の先端部に連結部４９を備え、アーム４７の先端部に連結部５０を備える。
【００３４】
照明器具４０は、器具本体１１の下部に回転自在なグローブ５１を備える。グローブ５１は、器具本体１１に対してあらかじめ定められた回転角度で回転されることにより、器具本体１１に回し止めにより取り付けられる。
グローブ５１は、アーム４３の連結部４８が嵌入される受部５２と、アーム４５の連結部４９が嵌入される受部５３と、アーム４７の連結部５８が嵌入される受部５４とを備える。
【００３５】
清掃手段４１は、グローブ５１の脱着時にグローブ５１と一体的に回転することにより、掻取部材４２と、掻取部材４４と、掻取部材４６とにより、器具本体１１の天板部１３を清掃できる。
そのため、清掃手段４１は、ユーザーや作業者が直接駆動させることなく、グローブ５１の回転により駆動される。
照明器具４０は、ＬＥＤ２０の発光に伴って生じた熱が、グローブ５１から清掃手段４１を通じて放熱される。
従って、ＬＥＤ２０の発光に伴う熱を効率よく放熱できる。
【００３６】
照明器具４０によれば、掻取部材４２と、掻取部材４４と、掻取部材４６とが、グローブ５１とともに回転するために、天板部１３の清掃を容易にできる。
また、照明器具４０によれば、下面のどの位置からでもグローブ５１に手が届くために、さらに、清掃を容易にできる。
【００３７】
（第４実施形態）
次に、本発明に係る第４実施形態の照明器具について説明する。
図５に示すように、本発明に係る第４実施形態の照明器具６０は、四角形の天板部６２を有する器具本体６１を備える。
照明器具６０は、清掃手段６３が、掻取部材６４を有するアーム６５と、掻取部材６６を有するアーム６７と、掻取部材６８を有するアーム６９と、掻取部材７０を有するアーム７１とを放射状に配置する。
図６に示すように、清掃手段６３は、一定量回転した際に、器具本体６１から飛び出すが、回転運動であるために、従来のもののようなスライド移動と比べて、飛出量が少なくなり、設置スペースに制限を受けない。
【００３８】
照明器具６０によれば、定常時に下面から見ても、清掃手段６３の飛び出しが気にならず、意匠面で良好にできる。
また、照明器具６０によれば、清掃手段６３の外側部分に天板部６２が触れないため、手で直接持っても、埃やゴミに触ることがないために、衛生的である。
【００３９】
（第５実施形態）
次に、本発明に係る第５実施形態の照明器具について説明する。
図７に示すように、本発明に係る第５実施形態の照明器具８０は、三角形の天板部８２を有する器具本体８１を備える。
照明器具８０は、清掃手段８３が、掻取部材８４を有するアーム８５と、掻取部材８６を有するアーム８７と、掻取部材８８を有するアーム８９とを放射状に配置する。
【００４０】
（第６実施形態）
次に、本発明に係る第６実施形態の照明器具について説明する。
図８に示すように、本発明に係る第６実施形態の照明器具９０は、円形の天板部９２を有する器具本体９１を備える。
照明器具９０は、清掃手段９３が、掻取部材９４を有するアーム９５を備え、回転基板１６内にねじりコイルばねである弾性部材９６を収容する。
照明器具９０は、清掃手段９３が、弾性部材９６の内周端部９７を天板部９２に有する内周係止部９８に係止させ、弾性部材９６の外周端部９９を回転基台１６に有する外周係止部１００に係止させる。
【００４１】
清掃手段９３は、ユーザーや清掃作業者により、掻取部材９４を有するアーム９５が、図８中の反時計回転方向に回転されることにより、回転基台１６が同方向に回転され、弾性部材９６が外径を小さくするように弾性変形されて弾性反発力が蓄積される。
そして、清掃手段９３は、アーム９５が開放されると、弾性部材９６に蓄積されている弾性復元力により、回転基台１６および掻取部材９４を有するアーム９５が、図８中の時計回転方向に回転される。
従って、清掃手段９３は、ユーザーや清掃作業者が、アーム９５を一方向へ一回だけ押圧回転させるだけで、アーム９５を戻し回転方向へ自動的に回転させて清掃できる。
【００４２】
なお、図示はしないが、回転基台１６が、左右いずれかの順方向の回転のときに、弾性部材９６が掛止され、左右いずれかの逆方向の回転のときに、弾性部材９６の掛止が外れるラチェット機構を有してもよい。
そうすれば、弾性部材９６において弾性反発力の蓄積に要した回転数以上、清掃手段９３を回転できる。
従って、清掃手段９３は、埃やごみ等を、より確実に除去でき、勢いよく回転部分を回すことができるため、埃やごみ等を天板部９２の外方へ押し出すことになって、清掃手段９３の汚れを少なくできる。
【００４３】
照明器具９０によれば、弾性部材９６の弾性力を利用して回転基台１６を回転させるようにした。
従って、照明器具９０によれば、一回の押圧動作により、天板部９２を複数回清掃できるために、埃やごみ等を確実に除去できる。
【００４４】
なお、本発明の照明器具においてＬＥＤユニット，ＬＥＤ基板，ＬＥＤ，アダプタ，基台カバー等は、前述した各実施形態に限定されるものでなく、適宜な変形や改良等が可能である。
【符号の説明】
【００４５】
１０，３０，４０，６０，８０，９０  照明器具
１１，６１，８１，９１  器具本体
１３，６２，８２，９２  天板部
１４  アダプタ（取付部）
１６  回転基台
１７，３１，４１，６３，８３，９３  清掃手段
１８，３２，３４，３６，４２，４４，４６，６６，６８，７０，８４，８６，８８，９４  掻取部材
２０  ＬＥＤ（光源部）
５１  グローブ
９６  弾性部材
【図１】
2013004504.tif 000003
【図２】
2013004504.tif 000004
【図３】
2013004504.tif 000005
【図４】
2013004504.tif 000006
【図５】
2013004504.tif 000007
【図６】
2013004504.tif 000008
【図７】
2013004504.tif 000009
【図８】
2013004504.tif 000010